(57)【要約】 【課題】  ＣＤをディスクチェンジャに装填したとき、装填した各ディスクが再生可能なディスクであるか否かのディスクチェックを、短時間で行うことができるディスクチェンジャとする。【解決手段】  選択して再生したディスクの管理データ８からファイルシステムデータをファイルシステムデータ選別部１８で選別し、選別したファイルシステムデータをファイルシステムデータ解析部１９で解析し、その解析状態を再生可能ファイル検出部２０で監視し、再生可能ファイルが検出されたときには直ちにその解析を中止し、ディスクチェック結果を出力し、次のディスクのチェックを行う。【選択図】図１
2006302413.tif 000002
【特許請求の範囲】
【請求項１】
選択再生したディスクからファイルシステムデータを選別し、
選別したファイルシステムデータを解析し、
前記解析中に再生可能ファイルを検出したときにディスクチェック結果を出力すると共に前記解析を中止し、
次のディスクのチェックを行うことを特徴とするディスクチェンジャのディスクチェック方法。  
【請求項２】
選択したディスクを再生してファイルシステムデータを選別するファイルデータ選別手段と、
前記ファイルデータ選別手段で選別したファイルデータを解析した結果により再生可能なファイルを検出する再生可能ファイル検出手段と、
前記再生可能ファイル検出手段では、前記ファイルシステム解析中に再生可能ファイルを検出したとき当該解析を中止すると共にディスクのチェック結果を出力し、
前記再生可能ファイル検出手段で再生可能ファイルを検出したとき、ディスクチェンジャに対して次のディスクを選択して再生する指示を行うディスク選択指示手段とを備えたことを特徴とするディスクチェンジャ。
【請求項３】
前記ディスクチェック結果を記憶するディスクチェック結果記憶手段を備えたことを特徴とする請求項２記載のディスクチェンジャ。
【請求項４】
前記ディスクチェック結果により、チェックを行ったディスクに対応するランプを点灯することを特徴とする請求項２記載のディスクチェンジャ。
【発明の詳細な説明】
【技術分野】
【０００１】
本発明は、例えば複数枚のコンパクトディスク（以下ＣＤという）が収納され、その中から任意のディスクを選択して再生を行うディスクチェンジャに関し、特にプレーヤでは再生できない各種データを記録したＣＤが挿入されていないかを予めチェックを行うようにしたディスクチェンジャにおけるディスクチェック方法、及びその方法を実施するディスクチェンジャに関する。
【背景技術】
【０００２】
例えばディスクチェンジャを備えたＣＤ再生処理部においては、例えば図３に示すような装置により再生作動を行う。即ち、図示の例はオーディオ用ＣＤのプレーヤを示し、ディスクチェンジャ３０に多数収納されたＣＤ３１は、任意のものが選択されてプレーヤ３２にかけられ、スピンドルモータ３３で回転駆動され、ピックアップ３４によってディスクに記録されたデータが読み取られる。読み取られたＲＦ信号、及びフォーカスエラー信号、トラッキングエラー信号等の信号は、ＲＦアンプ３５を介して信号処理部３６に入り処理される。
【０００３】
ディスクチェック部４４ではそれらの信号のうちから管理データ３７の種々のデータの中で、ファイルシステムを解析することによりこのプレーヤで再生できるｍｐ３等のファイルが存在するか否かをチェックする。ファイルシステムを全て解析した後、再生可能なオーディオデータが存在するときはその旨を出力する。また、再生可能なディスクの再生処理に際しては、その音声情報であるオーディオデータ３８分離し、管理データ３７はシステムコントローラ４０に入力して種々の制御用のデータとする。また、オーディオデータ３８は図示の例では、システムコントローラ４０によって作動指示されるメモリコントローラ４１を介して、バッファ用ＲＡＭ４２に所定時間の量が記録される。
【０００４】
また、システムコントローラ４０の指示によりメモリコントローラ４１を介して前記のようにバッファ用ＲＡＭ４２に記録したオーディオデータを順に信号処理部３６に読み出し、音声信号出力４３を行う。また、信号処理部３６では、サーボドライバ４４によりスピンドルモータ３３及びピックアップ３４の駆動制御を行うと共に、前記のようなフォーカスエラーやトラッキングエラーへの対応を行う。
【０００５】
近年はＣＤとして従来から利用されている市販ＣＤを再生するほか、そのコピーＣＤを再生し、また、パソコン等でオーディオデータをＣＤに記録して、それをオーディオプレーヤで再生することも広く行われるようになっている。特にパソコンでオーディオデータを取り扱う際には、それぞれ特色のある極めて多くの記録方式が用いられている。
【０００６】
例えば、現在用いられている方式として、ＣＤオーディオトラック形式〜.cda、  Windowオーディオ形式〜.wav 、  Macオーディオ形式〜.aiff/.aif 、  Sunオーディオ形式〜.au/.snd、  MPEG オーディオ形式〜.mp3、  RealAudioプレーヤーの音声データ〜.ra/.ram、  MIDIベースの音響ファイル〜.mid/.midi、  QuickTimeビデオファイル形式〜.mov/.qt、  Window Media オーディオ形式〜.wma 、  Advanced Streaming Format 形式〜.asf、  Advanced Audio Cording形式〜.aac、  Ogg Vorbis形式〜.ogg等々が存在する。 
【０００７】
これらの各種のオーディオデータ記録方式はＣＤーＲ、ＣＤ−ＲＷにそのまま記録することができ、したがって利用者が各種の場面でそれぞれ作成したオーディオ用のＣＤ−Ｒ等には、種々の型式のオーディオデータが記録されていることとなる。したがって一般のＣＤプレーヤでは、できる限り種々のオーディオデータの再生を行うことが望まれるものの、それらの再生ソフトを全て用意しておくことはコストの面で無理がある。そのため、現在用いられているオーディオプレーヤにおいては、代表的なオーディオ型式に対応できるように、例えば従来からのＣＤオーディオデータ（ＣＤ−ＡＤ）の他、ＭＰ３データの再生を行うことができるようにしたものも用いられている。
【０００８】
このようにＣＤ−Ｒ等にオーディオデータを記録して、ＣＤプレーヤで再生を行うときに、再生しようとするＣＤ−Ｒ等にはそのプレーヤでは再生することができないデータしか記録されていないときには、このＣＤを再生することができない。特に、ＣＤ−Ｒはパソコンで広く用いられるようになっているため、前記のような各種のオーディオデータに限らず、例えばデジカメで撮影した画像、インターネットから取り込んだ画像等も記録されるため、ＣＤプレーヤで再生しようとするとき、このようなＣＤプレーヤで再生することができないデータばかりが記録されているＣＤである場合もあり得る。
【０００９】
特にＣＤチェンジャに多数のＣＤを装填して、いずれかのＣＤを選択して再生しようとするとき、上記のようにこのプレーヤでオーディオ再生することができないデータのみが記録されたＣＤは、その後このＣＤに対して再生指示を行っても再生することができず、利用者に不快感を与えるので、ＣＤチェンジャにＣＤを装填したとき、これらのＣＤに対してディスクチェックを行うようにしている。図３に示す従来の例おいては、ディスクチェック部４４は、システムコントローラの指示により、それらのＣＤに記録されている管理データ３７のファイルシステムを解析することにより、このＣＤプレーヤで再生することができるか否か、即ち、再生できるファイルが存在するかを検出している。
【００１０】
従来のＣＤディスクチェンジャを備えたＣＤ再生装置においては、ディスクチェンジャにディスクを装填してセットした後の利用者の実際の再生する指示入力時に、装填したディスクが再生可能か否かをチェックし、再生可能なディスクを見つけたときにそれを再生する手法の他、ディスクチェンジャにディスクを装填してセットしたときに、ディスクチェンジャに装填したディスクが再生できるものであるか否かを全てのディスクに対して順にチェックを行い、再生可能なディスクを別途記録し、必要に応じてその状態を利用者が判るように、再生できるディスクに対応するランプを点灯する等の手法も採用されている。
【００１１】
上記のようなディスクチェック時に、選択したディスクが再生できるディスクであるか否かを検出するには、従来は、このディスクに最初に記録されている管理データ部分のファイルシステムを全て解析し、このディスクのデータがどのような構成であり、どのような型式のデータが記録されているかを検出している。
【００１２】
即ち、ＣＤのデータ構成はＩＳＯ０９６６０に規定されており、各種のシステムでＣＤを利用することができるように、ＣＤに記録することができるデータを数多く規定しているが、各ＣＤはその中で必須のデータの他適宜必要なデータを選択して記録している。図４に示すＣＤにおいては、そのリードイン領域において先頭から１６セクタにシステムエリアとしてシステム用に予約され、続いてＰＶＤ、ＳＶＤ、ボリューム区画記述子、起動レコード、ボリューム記述子集合終端子等からなるボリューム記述子が１セクタづつ複数並んで記録される。
【００１３】
それに続いて、小型のパステーブルであるＬ型パステーブル、大型のパステーブルであるＭ型パステーブルを備えたパステーブルが記録され、ここにはＣＤ全体の情報パステーブルとして記録される。その次に、このＣＤのファイル構成を示すディレクトリが記録される。このディレクトリはルートディレクトリＲをレベル１としてレベル８まで記録可能であり、ここにはディレクトリ識別子、ファイル識別子が記録され、エクステントとして記録されているファイルデータの先頭のセクタ番号、データの占めるバイト数としてのデータ長、ファイルフラグ、記録日時等が記録されて、それに続いてエクステントとして各ファイルのデータが記録される、という構成となっている。
【特許文献１】特開２００４−１８５７４７号公報
【発明の開示】
【発明が解決しようとする課題】
【００１４】
ＣＤチェンジャにおけるディスクチェック時には、上記のようなＣＤのデータ構成において、このプレーヤで再生できるデータが存在するか否かは、上記ファイルシステムにおけるオーディオデータ以外のデータである管理データを解析し、特にディレクトリ部分の解析でこのＣＤのファイル構成、即ち図４の例ではルートディレクトリＲに基づいて構成されるファイルＡ、Ｂ、Ｃ・・・、ファイルＡに展開するファイルＡ１・・・、ファイルＡ１に展開するファイルＡ１１のｍｐ３データ、ファイルＡ１２、Ａ１３、ｍｐ３データのファイルＡ１４・・・、ファイルＡ１２に展開するファイルＡ１２１、ｍｐ３データのファイルＡ１２２、ファイルＡ１２１に展開するファイルＡ１２１１、ｍｐｓデータのファイルＡ１２２２・・・等々のファイルシステムを全て解析した後に、その解析結果によって、結局このプレーヤで再生できるファイルが存在するか否か、即ち再生可能なディスクであるか否かのチェックを行っている。したがってファイル構成の複雑さの程度にもよるが、１枚のＣＤに数十秒かかることも少なくなかった。
【００１５】
なお、ディスクチェンジャにＣＤを装填したとき、最初に上記のようなディスクチェックを行った後に、そのディスクを実際に再生するとき、ディスクチェック時間の短縮を図るため、最初に行うデータディスクのディスクチェック時には、最終セッションの認識処理を行って最終セッションのＰＶＤアドレスを取得して、メモリ装置にディスク番号をこれと対にして記録させ、以降の再生時にはこれを読み出すことによりセッション認識処理を省いて再生を行うようにした手法は、上記特許文献１に開示されている。
【００１６】
しかしながら、この手法によっても最初このディスクチェンジャにＣＤを装填したときに、全てのディスクに対してディスクチェックを行うときに多くの時間がかかる点は、以前の従来のものと同様である。
【００１７】
したがって本発明は、ディスクをディスクチェンジャに装填したとき、装填した各ディスクが再生可能なディスクであるか否かをチェックするディスクチェックを、短時間で行うことができるようにすることを主たる目的とする。
【課題を解決するための手段】
【００１８】
本発明に係るディスクチェンジャのディスクチェック方法は、選択再生したディスクからファイルシステムデータを選別し、選別したファイルシステムデータを解析し、前記解析中に再生可能ファイルを検出したときにディスクチェック結果を出力すると共に前記解析を中止し、次のディスクのチェックを行うことを特徴とする。  
【００１９】
本発明に係るディスクチェンジャは、選択したディスクを再生してファイルシステムデータを選別するファイルデータ選別手段と、前記ファイルデータ選別手段で選別したファイルデータを解析した結果により再生可能なファイルを検出する再生可能ファイル検出手段と、前記再生可能ファイル検出手段では、前記ファイルシステム解析中に再生可能ファイルを検出したとき当該解析を中止すると共にディスクのチェック結果を出力し、前記再生可能ファイル検出手段で再生可能ファイルを検出したとき、ディスクチェンジャに対して次のディスクを選択して再生する指示を行うディスク選択指示手段とを備えたことを特徴とする。
【００２０】
本発明に係る他のディスクチェンジャは、前記ディスクチェンジャにおいて、前記ディスクチェック結果を記憶するディスクチェック結果記憶手段を備えたことを特徴とする。
【００２１】
本発明に係る他のディスクチェンジャは、前記ディスクチェンジャにおいて、前記ディスクチェック結果により、チェックを行ったディスクに対応するランプを点灯することを特徴とする。
【発明の効果】
【００２２】
本発明は上記のように構成したので、ディスクをディスクチェンジャに装填したとき、装填した各ディスクが再生可能なディスクであるか否かをチェックするディスクチェックを、短時間で行うことができる。
【発明を実施するための最良の形態】
【００２３】
本発明は、ディスクをディスクチェンジャに装填したとき、装填した各ディスクが再生可能なディスクであるか否かをチェックするディスクチェックを短時間で行うため、選択再生したディスクからファイルシステムデータを選別し、選別したファイルシステムデータを解析し、前記解析中に再生可能ファイルを検出したときにディスクチェック結果を出力すると共に前記解析を中止し、次のディスクのチェックを行う事により実現する。
【実施例１】
【００２４】
本発明の実施例を図面に沿って説明する。図１は本発明によるディスクチェンジャを備えたＣＤプレイヤーの例を示し、特に本発明の作動に関連する機能部分を主として示した機能ブロック図である。なお、同図における各機能を行う機能部は、各機能を行う手段ということもできる。
【００２５】
図１に示すディスクチェンジャの再生処理部においては、図中のディスクチェック処理部１５以外は前記図３に示した従来のディスクチェンジャの再生処理部と同様のものを示しており、ディスクチェンジャ１に多数装填されたＣＤ２の内、任意のものが選択されてプレーヤ３にかけられ、スピンドルモータ４で回転駆動されてピックアップ５によりディスクに記録されたデータが読み取られる。読み取られたＲＦ信号、及びフォーカスエラー信号、トラッキングエラー信号等の信号は、ＲＦアンプ６を介して信号処理部７で処理される。
【００２６】
信号処理部７では、入力した各種データの中からＣＤ再生のための管理を行う管理データ８を分離し、システムコントローラ１０はその管理データにより所定の再生作動を行う。この管理データによってプレーヤで再生することができるオーディオデータが存在することが判ると、信号処理部７で再生できるオーディオデータ９を分離し、必要に応じてメモリコントローラ１１を介してバッファ用ＲＡＭ１２に所定量蓄積し、またその読み込みを行い、音声信号出力１３として、プレーヤの振動対策処理を行う。
【００２７】
上記のような管理データ８はディスクチェック処理部１５における管理データ取込部１６によってこの処理部に取り込まれ、ファイルシステムデータ選別部１８では取り込んだ種々の管理データの中から、このＣＤのファイルシステムデータを選別し、これをファイルシステムデータ解析部１９に出力する。ファイルシステムデータ解析部１９では、例えば前記図４のＣＤデータにおけるルートディレクトリＲから展開されるファイルシステムデータを解析し、再生可能ファイル検出部２０ではその解析結果によって、図中ｍｐ３と示されるような再生可能なファイルが存在するか否かを検出する。
【００２８】
再生可能ファイル検出部２０で検出した結果は、チェック結果出力部２２からシステムコントローラ１０にその結果を出力し、また、ディスクチェック結果記憶部２１に、チェックを行ったディスクに対応してそのチェック結果を記憶し、このデータを後の再生時等に利用する。システムコントローラ１０は入力したチェック結果により、ディスク選択指示部１１に対して次のディスクのチェックを行うためにディスクチェンジ信号を出力する。ディスク選択指示部１７では、ディスクチェック結果記憶部２１に記憶されているチェックが終了したディスクと、現在ディスクチェンジャ１に装填されているディスクとを比較し、未だディスクチェックが終了していないディスクを選択し、ディスクチェックが終了したＣＤに替えて次のＣＤをプレーヤ３にかける。
【００２９】
上記のような機能ブロックからなるディスクチェンジャにおいては、例えば図２に示す作動フローに従って順に作動させることにより、ディスクチェンジャに装填された多数のディスクのディスクチェック処理を順に行うことができる。以下、図２に示す作動フローを、図１の機能ブロック図、及び図４のＣＤデータフォーマット例等を参照しつつ説明する。
【００３０】
図２に示すディスクチェンジャのディスクチェック処理においては、最初に任意のディスクをディスクチェンジャの中から選択してプレーヤにかけてデータの再生を行う（ステップＳ１）。次いでディスクのデータを読み込んでディスクチェックを開始する（ステップＳ２）。その後プレーヤが取り込んだ管理データの中からファイルシステムデータを選別する（ステップＳ３）。
【００３１】
これらの作動は、図１におけるファイルシステムデータ選別部１８が、プレーヤの信号処理部７で分離した管理データ８の中からファイルシステムデータを選別することにより行われる。ＣＤデータはＩＳＯ９６６０の規格にしたがって記録されており、例えば図４に示すような種々のデータが順に記録されるものであるが、その中にこのＣＤに記録されている各データがどのようなファイル構成になっているかを示すディレクトリ部が存在し、ここにはルートディレクトリＲから順に展開されるファイル構成を所定の記号で順に記録されている。したがって、ファイルシステムデータ選別部１８で、このファイルシステムを表すデータを選別する。
【００３２】
次いで、このようにして選別したファイルシステムデータの解析を行い（ステップＳ４）、再生できるファイルが存在するか否かを判別する（ステップＳ５）。この判別は図１の生成可能ファイル検出部２０が、ファイルシステムデータ解析部１９におけるデータ解析結果により判別することができる。その判別の結果再生できるファイルが存在すると判別したときには、直ちにこのディスクに対するディスクチェックを中断する（ステップＳ６）。
【００３３】
本発明において最も特徴とするところはこの処理であり、従来は前記ステップＳ４でファイルシステムデータを全て解析し、その解析結果により再生できるファイルが存在するか否かの判別を行っていたのに対して、本発明においては、常に再生できるファイルが存在するか否かの判別、即ち再生可能ファイル検出部２０で常時ファイルシステムデータ解析部１９における解析状態を検出し、１つでも再生可能ファイルが検出されたときには、直ちにそのディスクチェックを中止してディスク選択指示部１７に信号を出力し、ディスク選択指示部１７は未だチェックしていないディスクを選択してプレーヤにかける指示を行う。
【００３４】
したがって、前記ステップＳ５で再生できるファイルが存在するか否かを常時判別しているとき、未だ見つかっていないと判別したときには、ステップＳ９に進んで、ファイルシステムデータを全て解析したか否かを判別し、未だファイルシステムデータを全て解析していないと判別したときには、ステップＳ４に戻ってファイルシステムデータの解析を継続し、前記作動を継続する点において、前記従来のものと大きく異なる。
【００３５】
ステップＳ５で再生できるファイルが存在すると判別する処理は、例えば図４に示すディレクトリの中にルートディレクトリＲから順に展開されているファイルシステムの解析に際して、解析中に図示の例では例えばルートディレクトリＲからＡ、Ａ１、Ａ１１、Ａ１２、・・・と順に解析を行うときには、Ａ１１のｍｐ３が検出されたときにこのＣＤにこのプレーヤで再生できるオーディオデータが存在すると判別され、その時点で以降の解析を中断して、次のディスクチェック処理に移る。
【００３６】
なお、ファイルシステムの解析処理に際して、例えばレベル１のルートディレクトリＲからレベル２のＡ、Ｂ、Ｃ・・・、レベル３の、Ａ１、・・・、Ｂ１、Ｂ２・・・、とレベル順に解析を行うときには、ファイルＢ１にｍｐ３のオーディオデータが存在することを検出したときに、このＣＤは再生できるデータが存在するものとして以降の解析を中断し、次のディスクのチェックを行う。
【００３７】
ステップＳ６でディスクチェックを中断した後、ディスクチェック結果をＣＤのコードデータと共に記憶し、図示の例においてはチェックしたディスクに対応する再生可能ランプを点灯する（ステップＳ７）。この処理は図１における再生可能ファイル検出部２０が再生可能なファイルを上記のようにして検出したとき、ディスクチェック結果記憶部２１にこれを記憶し、またチェック結果出力部２２からシステムコントローラ１０にその結果を出力し、システムコントローラ１０はディスクチェンジャ１のトレイ毎に配置されているランプ、或いはこのディスクチェンジャと離れた場所にあるヘッドユニットの表示部等にその結果を表示する事により行われる。
【００３８】
その後、全てのディスクのチェックは終了したか否かを判別し（ステップＳ８）、未だ全てのディスクのチェックは終了していないと判別したときには、ディスクチェックの終了していないディスクを選択し（ステップＳ１０）、前記ステップＳ２に戻って選択したディスクに対して前記と同様のディスクチェックを開始する。ステップＳ８で全てのディスクのチェックは終了したと判別したときには、このディスクチェンジャにおけるディスクチェック処理を終了する（ステップＳ１１）。
【産業上の利用可能性】
【００３９】
本発明によるディスクチェンジャは、ＣＤチェンジャに限らず、各種のデータを記録可能な種々のディスクを複数装填するディスクチェンジャに適用することができる。
【図面の簡単な説明】
【００４０】
【図１】本発明の実施例の機能ブロック図である。
【図２】同実施例の作動フロー図である。
【図３】従来のディスクチェンジャの機能ブロック図である。
【図４】ＣＤのディスクフォーマットの例を示す図である。
【符号の説明】
【００４１】
１  ディスクチェンジャ
１５  ディスクチェック処理部
１６  管理データ取込部
１７  ディスク選択指示部
１８  ファイルシステムデータ選別部
１９  ファイルシステムデータ解析部
２０  再生可能ファイル検出部
２１  ディスクチェック結果記憶部
２２  チェック結果出力部
【図１】
2006302413.tif 000003
【図２】
2006302413.tif 000004
【図３】
2006302413.tif 000005
【図４】
2006302413.tif 000006